(57)【要約】【課題】遊技機の前枠を開閉する際の作業性の良さと、不正操作の防止とを両立可能な施錠装置を提供する。【解決手段】（ａ）は第１連結部材１９と第２連結部材２１が連動していない状態を示す。係止片５３を矢印Ｑのように回転させると、（ｂ）のようになり、フック部５１が被係止突起３５に係止して、第１連結部材１９および第２連結部材２１が互いに一体となって上下動するようになる。従って、鍵を用いることなく、施錠状態を解除したり再び施錠したりすることが可能となる。（ａ）の状態に戻せば、第１連結部材１９と第２連結部材２１が互いに独立して動くので、上下の鉤部材の一方のみを不正に動かしても他方は動かず、解錠することができない。従って不正操作にあい難い。【選択図】　図６
2004097679.tif 000002
【特許請求の範囲】
【請求項１】
遊技機の左右何れかの縁に沿って取り付けられる長尺部材である基枠と、
該基枠の下部に取り付けられた第１鉤部材と、
前記基枠の上部に取り付けられた第２鉤部材と、
前記遊技機の遊技盤が収納される外枠に取り付けられ、前記第１鉤部材が係止される第１受け金具と、
前記外枠に取り付けられ、前記第２鉤部材が係止される第２受け金具と、
前記基枠に沿って上下動される長尺部材であって、下降されることにより前記第１鉤部材・前記第１受け金具間の係止を行ない、上昇されることにより前記第１鉤部材・前記第１受け金具間の係止の解除を行なう第１連結部材と、
前記基枠に沿って上下動される長尺部材であって、下降されることにより前記第２鉤部材・前記第２受け金具間の係止を行ない、上昇されることにより前記第２鉤部材・前記第２受け金具間の係止の解除を行なう第２連結部材と、
解錠操作を受けると前記第１連結部材および前記第２連結部材を上昇させる錠と、
前記第１連結部材及び前記第２連結部材を、該両者が互いに一体となって上下動する連動状態、並びに該両者が互いに独立して上下動する非連動状態の２状態に可逆的に変換する状態変換手段と、
を備えたことを特徴とする遊技機の施錠装置。
【請求項２】
遊技機の左右何れかの縁に沿って取り付けられる長尺部材である基枠と、
該基枠の下部に取り付けられた第１鉤部材と、
前記基枠の上部に取り付けられた第２鉤部材と、
前記遊技機の遊技盤が収納される外枠に取り付けられ、前記第１鉤部材が係止される第１受け金具と、
前記外枠に取り付けられ、前記第２鉤部材が係止される第２受け金具と、
前記基枠に沿って上下動される長尺部材であって、上昇されることにより前記第１鉤部材・前記第１受け金具間の係止を行ない、下降されることにより前記第１鉤部材・前記第１受け金具間の係止の解除を行なう第１連結部材と、
前記基枠に沿って上下動される長尺部材であって、上昇されることにより前記第２鉤部材・前記第２受け金具間の係止を行ない、下降されることにより前記第２鉤部材・前記第２受け金具間の係止の解除を行なう第２連結部材と、
解錠操作を受けると前記第１連結部材および前記第２連結部材を下降させる錠と、
前記第１連結部材及び前記第２連結部材を、該両者が互いに一体となって上下動する連動状態、並びに該両者が互いに独立して上下動する非連動状態の２状態に可逆的に変換する状態変換手段と
を備えたことを特徴とする遊技機の施錠装置。
【請求項３】
請求項１または２に記載の遊技機の施錠装置において、
前記状態変換手段が、前記第１連結部材及び前記第２連結部材に対して着脱自在に構成され、前記第１連結部材及び前記第２連結部材に取り付けられて該両者を互いに固定することにより前記連動状態にし、前記第１連結部材及び前記第２連結部材から取り外されることにより前記非連動状態にするもの
であることを特徴とする遊技機の施錠装置。
【請求項４】
請求項１または２に記載の遊技機の施錠装置において、
前記状態変換手段が、
前記第１連結部材及び前記第２連結部材の一方に設けられた係止部と、
前記第１連結部材及び前記第２連結部材の他方に設けられ、前記係止部により係止可能な被係止部と、
を備え、該被係止部を前記係止部に係止させることにより前記連動状態にし、前記被係止部と前記係止部の係止を解くことにより前記非連動状態にするもの
であることを特徴とする遊技機の施錠装置。
【発明の詳細な説明】
【０００１】
【発明の属する技術分野】
本発明は、遊技機の施錠装置に関する。
【０００２】
【従来の技術】
従来の遊技機の施錠装置（以下、単に施錠装置ともいう）としては例えば、特許文献１に挙げるものがある。この施錠装置では、第１実施形態として、鉤を用いて正規の解錠操作を行なったときには、上下の鉤部材の双方が下がり（解錠でき）、下の鉤部材のみを下げたときには、上の鉤部材が下がらず（つまり解錠できず）、上の鉤部材のみを下げたときには、下の鉤部材が下がらない（つまり解錠できない）ようにされている。
【０００３】
そして、同文献の第２実施形態では、鉤を用いて正規の解錠操作を行なったときには、上下の鉤部材の双方が下がり（解錠でき）、下の鉤部材のみを下げたときには、上の鉤部材が下がらない（つまり解錠できない）ようにされている点までは第１実施形態と同様であるが、上の鉤部材のみを下げたときには、下の鉤部材も下がる（つまり解錠できる）点が異なっている。
【０００４】
【特許文献１】
特開２０００−２８８２１４号公報
【０００５】
【発明が解決しようとする課題】
しかしながら、上記従来技術の第１実施形態によれば、遊技機の工場等で遊技機の前枠を閉じたり開いたりする作業をする際に、わざわざ鍵を用いて解錠する必要があり、作業性が非常に悪い。また、鍵の管理が厄介という問題もある。これらの問題は、上記従来技術の第２実施形態のようにすると、上の鉤部材を下げるだけで解錠されるので、解消されるが、反面、不正操作にあい易いという欠点がある。
【０００６】
本発明はかかる課題に鑑みなされたもので、遊技機の前枠を開閉する際の作業性の良さと、不正操作の防止とを両立可能な施錠装置を提供することを目的としている。
【０００７】
【課題を解決するための手段及び発明の効果】
かかる課題を解決するためになされた請求項１に記載の施錠装置は、遊技機の左右何れかの縁に沿って取り付けられる長尺部材である基枠と、該基枠の下部に取り付けられた第１鉤部材と、前記基枠の上部に取り付けられた第２鉤部材と、前記遊技機の遊技盤が収納される外枠に取り付けられ、前記第１鉤部材が係止される第１受け金具と、前記外枠に取り付けられ、前記第２鉤部材が係止される第２受け金具と、前記基枠に沿って上下動される長尺部材であって、下降されることにより前記第１鉤部材・前記第１受け金具間の係止を行ない、上昇されることにより前記第１鉤部材・前記第１受け金具間の係止の解除を行なう第１連結部材と、前記基枠に沿って上下動される長尺部材であって、下降されることにより前記第２鉤部材・前記第２受け金具間の係止を行ない、上昇されることにより前記第２鉤部材・前記第２受け金具間の係止の解除を行なう第２連結部材と、解錠操作を受けると前記第１連結部材および前記第２連結部材を上昇させる錠と、前記第１連結部材及び前記第２連結部材を、該両者が互いに一体となって上下動する連動状態、並びに該両者が互いに独立して上下動する非連動状態の２状態に可逆的に変換する状態変換手段とを備えたことを特徴とする遊技機の施錠装置をその要旨とする。
【０００８】
このように構成された施錠装置によれば、状態変換手段によって、第１連結部材及び第２連結部材が互いに一体となって上下動する連動状態と、該両者が互いに独立して上下動する非連動状態の２状態に可逆的に変換することができるので、工場等で遊技機の前枠を閉じたり開いたりする作業をする際には、連動状態にしておくことにより鍵を用いることなく前枠を開閉できる。この遊技機を遊技場に設置したら、非連動状態にしておく。こうすることにより、第１連結部材及び第２連結部材が互いに独立して上下動するようになり、第１鉤部材、第２鉤部材のいずれか一方を下げただけでは施錠状態を解くことができなくなり、不正行為にあい難くすることができる。したがって、遊技機の前枠を開閉する際の作業性の良さと、不正操作の防止とを両立することができる。
【０００９】
請求項２に記載の施錠装置は、遊技機の左右何れかの縁に沿って取り付けられる長尺部材である基枠と、該基枠の下部に取り付けられた第１鉤部材と、前記基枠の上部に取り付けられた第２鉤部材と、前記遊技機の遊技盤が収納される外枠に取り付けられ、前記第１鉤部材が係止される第１受け金具と、前記外枠に取り付けられ、前記第２鉤部材が係止される第２受け金具と、前記基枠に沿って上下動される長尺部材であって、上昇されることにより前記第１鉤部材・前記第１受け金具間の係止を行ない、下降されることにより前記第１鉤部材・前記第１受け金具間の係止の解除を行なう第１連結部材と、前記基枠に沿って上下動される長尺部材であって、上昇されることにより前記第２鉤部材・前記第２受け金具間の係止を行ない、下降されることにより前記第２鉤部材・前記第２受け金具間の係止の解除を行なう第２連結部材と、解錠操作を受けると前記第１連結部材および前記第２連結部材を下降させる錠と、前記第１連結部材及び前記第２連結部材を、該両者が互いに一体となって上下動する連動状態、並びに該両者が互いに独立して上下動する非連動状態の２状態に可逆的に変換する状態変換手段とを備えたことを特徴とする。
【００１０】
つまりこの施錠装置は、施錠時に第１連結部材と第２連結部材が動く方向を請求項１に記載の施錠装置と逆にしたものである。このようにしても、請求項１に記載の施錠装置と同様の効果を奏するものとなる。
請求項３に記載の施錠装置は、請求項１または２に記載の遊技機の施錠装置において、前記状態変換手段が、前記第１連結部材及び前記第２連結部材に対して着脱自在に構成され、前記第１連結部材及び前記第２連結部材に取り付けられて該両者を互いに固定することにより前記連動状態にし、前記第１連結部材及び前記第２連結部材から取り外されることにより前記非連動状態にするものであることを特徴とする。
【００１１】
このように構成された施錠装置によれば、状態変換手段を着脱するだけで連動状態及び非連動状態を可逆的に創出することができる。しかも非連動状態にした後、状態変換手段を取り外し、遊技機と隔離しておけば、不正行為を働くものは連動状態にすることができないので、不正行為に対して極めて有効な施錠装置となる。
【００１２】
請求項４に記載の施錠装置は、請求項１または２に記載の遊技機の施錠装置において、前記状態変換手段が、前記第１連結部材及び前記第２連結部材の一方に設けられた係止部と、前記第１連結部材及び前記第２連結部材の他方に設けられ、前記係止部により係止可能な被係止部と、を備え、該被係止部を前記係止部に係止させることにより前記連動状態にし、前記被係止部と前記係止部の係止を解くことにより前記非連動状態にするものであることを特徴とする。
【００１３】
このように構成された施錠装置によれば、係止部と被係止部とを係止させたりこの係止を解いたりするだけで、状態変換手段を着脱するだけで連動状態及び非連動状態を可逆的に創出することができる。
【００１４】
【発明の実施の形態】
以下、本発明の実施の形態を示す実施例について図面に基づいて説明する。
ここでは遊技機として、いわゆるセブン機と呼ばれるタイプの第一種パチンコ機（弾球遊技機）を例に取り、その構造について図１及び図２を参照して説明する。
【００１５】
パチンコ機１の前面部は、図１及び図２に示すように、主として外枠（本体枠）２と、中枠３と、前面枠４と、上皿部５と、下皿部６と、シリンダ錠７とから構成されている。
外枠２は、木製の板状体を略長方形の額縁状に組立て固着したものであり、この外枠２にてパチンコ機１の遊技盤を収納する。中枠３は、全体がプラスチック製で、枠体部（図２参照）３ａと下板部とを有し、外枠２に対して開閉可能に軸支されている。中枠３の右端中央にはシリンダ錠７が設けられ、シリンダ錠７は、正面視すると鍵穴を備えた略長方形状を呈し、前面枠４を閉鎖した場合に施錠するためのものである。
【００１６】
ここで枠体部３ａは、上端から下方へ中枠３全体の略２／３程度に略長方形の額縁状に形成され、上端部には、前面枠４の略三角形状の枠飾りＬＥＤ用レンズ４ｃ，４ｅに対応して、左側に賞球表示ＬＥＤ（図示を省略）及び賞球表示ＬＥＤ基板が、右側にストップ表示ＬＥＤ（図２では図示略）及びストップ表示ＬＥＤ基板が配設されている。
【００１７】
また、下板部は、下端から上方へ中枠３全体の略１／３程度を占め、左端には、上皿部５に形成されたスピーカー面５ａに対応すべく、遊技状態に応じた効果音その他の音（音声）を発生させるスピーカーが配設され、略中央には、遊技球を発射する発射装置ユニット（図示略）に対し、上皿部５に貯留された遊技球を供給する供給装置等（図示略）が設けられている。
【００１８】
さらに、下板部の下方には、灰皿や玉抜きレバー等を備えた下皿部６が設けられ、下皿部６の略中央には、パチンコ機１の内部から遊技球を排出するための排出口６ａが開設され、右端に発射装置ユニット（図示略）を操作する発射ハンドル９が設けられている。また、この発射ハンドル９には、遊技者がタッチしていることを検出するタッチスイッチ９ａが装着され、その近傍には、発射停止を一時的に指令する発射停止スイッチ９ｂが配置されている。
【００１９】
前面枠４は、図１及び図２に示すように、全体がプラスチック製であり、遊技盤を前方から視認するべく、遊技盤に形成された遊技領域の形状に対応して略円周状に開設された開口部４ａを有している。そして、その裏面には、開口部４ａに応じてガラス板４ｒが嵌められた略長方形状のガラス枠４ｓ（図２参照）が装着されている。尚、本実施例では、ガラス枠４ｓが、前面枠４に裏面に装着され、このガラス枠４ｆによって、ガラス板４ｒの周縁部が保持されている。そして、遊技者を基準とすれば、遊技盤に形成された遊技領域は、ガラス板４ｅの後方に形成されている。尚、前面枠４の前面側にガラス枠４ｓを装着し、前面枠４の前面側で、ガラス板４ｒを保持してもよい。また、ガラス板４ｒ以外の透明板（例えば、透明な樹脂板）を、前面枠４に装着された透明板枠で保持することもできる。
【００２０】
また、この前面枠４は、パチンコ機１の前面全体の約２／３のサイズを占め、中枠３の左端に軸着され開閉可能に形成されている。さらに、上端部には、枠飾りランプ用レンズ４ｂも設けられ、このレンズ４ｂ内部には、開口部４ａ上端の円弧部分に沿って、枠飾りランプ基板及び複数個の遊技効果ランプ（図示略）が配設されている。
【００２１】
上皿部５は、前面枠４の下側で、中枠３の左端に軸着され開閉可能に形成されている。皿外縁部５ｂには、玉抜きボタンや遊技球の貸出・返却ボタン等が配設されている。また、上皿部５には、パチンコ機１の内部から遊技球を排出するための排出口５ｃが開設されている。左端には、複数の長孔を有するスピーカー面５ａが形成され、その裏面には、音量スイッチ基板が設けられている。パチンコ機１の左端側には、プリペイドカードユニット１３が装着されている。
【００２２】
パチンコ機１の右縁の外枠２ａに沿ってその裏側に設けられている施錠装置１５を図３に示す。図３（ａ）が施錠装置１５をパチンコ機１の右側から見た側面図、図３（ｂ）が施錠装置１５をパチンコ機１の裏側から見た背面図である。両図では各部を適宜透視して示している。施錠装置１５は、パチンコ機１の上下方向に沿って伸びる断面略Ｌ型の基枠１７に、共に基枠１７に沿って伸びる長尺部材である第１連結部材１９と第２連結部材２１が取り付けられており、シリンダ錠７に専用の鍵（図示省略）を挿入して操作することにより、第１連結部材１９および第２連結部材２１が上下に移動するように構成されている。これらの他にも施錠装置１５には、前面枠４を開放するための機構も備えているがここでは説明を省略する。
【００２３】
図４に、第１連結部材１９および第２連結部材２１を示す。なお、第１連結部材１９、第２連結部材２１には、これらを基枠１７に摺動可能に取り付けるための長穴等が形成されているが、本図では省略した。第２連結部材２１は、図４（ａ）に示すように、その上部に第２鉤部材２５が形成されており、第２連結部材２１全体が下降して、第２鉤部材２５が、外枠２ａ側に設けられている第２受け金具２７に係止することにより施錠状態が創出される。図４（ａ）は施錠状態を表している。第２連結部材２１の下部には２個の長穴２９、３１が形成されており、シリンダ錠７に取り付けられたカム３３（図３、図５参照）の爪がこれらの長穴２９、３１に入りこんで、カム３３が回動されることにより第２連結部材２１が上下動される。第２連結部材２１の中央からやや下方には、被係止突起３５が突設されている。
【００２４】
一方、第１連結部材１９は、図４（ｂ）に示すように、その下部に第１鉤部材４１が形成されており、第１連結部材１９全体が下降して、第１鉤部材４１が、外枠２ａ側に設けられている第１受け金具４３に係止することにより施錠状態が創出される。図４（ｂ）は施錠状態を表している。第１連結部材１９の中央からやや上方には２個の長穴４５、４７が形成されており、シリンダ錠７に取り付けられたカム３３の爪がこれらの長穴４５、４７に入りこんで、カム３３が回動されることにより第１連結部材１９が上下動される。第２連結部材２１の上端には、被係止突起３５が入って摺動されるための長穴４９が形成されている。長穴４９の下方には、フック部５１を有する係止片５３が点Ｐを軸として回転可能に設けられている。
【００２５】
図５（ａ）は図３（ａ）の係止片５３付近を拡大した図であり、図５（ｂ）は図３（ｂ）の係止片５３付近を拡大した図である。なお、図５（ｂ）ではカム３３の全体を示すために第１連結部材１９、第２連結部材２１の一部を透視している。本図に示すように、第１連結部材１９は、第２連結部材２１に重合されて使用される。第２連結部材２１に形成された被係止突起３５は、第１連結部材１９の長穴４９から突出され、被係止突起３５が長穴４９内で摺動可能にされている。ここで、第２鉤部材２５が第２受け金具２７（何れも図４参照）に係止し、第１鉤部材４１が第１受け金具４３（何れも図４参照）に係止した施錠状態にあるとする。この状態から専用の鍵を用いることなく第２鉤部材２５を上昇させると、被係止突起３５が長穴４９内を摺動して上昇するのみで、第１連結部材１９は上昇せず、第１鉤部材４１の第１受け金具４３に対する係止状態は解除されない。従って第２鉤部材２５のみを上昇させるだけでは、施錠状態を解くことはできない。
【００２６】
一方、第１鉤部材４１を上昇させると、被係止突起３５を残して長穴４９が上昇するのみで、第２連結部材２１は上昇せず、第２鉤部材２５の第２受け金具２７に対する係止状態は解除されない。従って第１鉤部材４１のみを上昇させても、施錠状態を解くことはできない。これにより、不正に前枠を開けるのを防止することができる。
【００２７】
なお、専用の鍵をシリンダ錠７に差し込んで鍵を回転させれば、カム３３が回転し、長穴２９、４５が連通して成る穴にカム３３の爪３３ａが入りこんで、第１連結部材１９および第２連結部材２１を上昇させるので、施錠状態を解くことができる。また、外枠２ａは図５（ｂ）にその一部を示す位置にあるため、実際にはカム３３は露出していない。
【００２８】
工場等でパチンコ機１の前枠を閉じたり開いたりする作業をする際には、係止片５３付近を点Ｐの周りに１８０°回転させることにより、鍵を用いることなく、施錠状態を解除したり再び施錠したりすることが可能となる。このことについて図６を参照して説明する。図６（ａ）は図５（ａ）の係止片５３の付近を更に拡大した斜視図である。本図の状態から係止片５３を矢印Ｑのように１８０°回転させると、図６（ｂ）のようになる。この状態では、フック部５１が被係止突起３５に係止して、被係止突起３５が長穴４９内を摺動不可能になる。これにより、第１連結部材１９および第２連結部材２１が互いに一体となって（以下、この状態を連動状態または単に連動とも言う）上下動するようになり、第２鉤部材２５を上昇させれば第１鉤部材４１も上昇し、第１鉤部材４１を上昇させれば第２鉤部材２５も上昇するようになる。従って、鍵を用いることなく、施錠状態を解除したり再び施錠したりすることが可能となる。この状態は、少なくとも、パチンコ機１を遊技場に設置した際に解除（つまり図６（ｂ）の状態から係止片５３を矢印Ｑと逆方向に１８０°回転させ、図６（ａ）の状態、すなわち非連動状態にする）すべきである。さもないと、第２鉤部材２５（または第１鉤部材４１）のみを上昇させて施錠を解くという不正が可能になってしまう。このように、パチンコ機１を遊技場に設置する前に連動状態にし、パチンコ機１を遊技場に設置した後に非連動状態にしておくことにより、パチンコ機１の前枠を開閉する際の作業性の良さと、不正操作の防止とを両立することができる。また、連動が解除された状態は、図３や図５に示すように係止片５３がぶら下がった状態となっているため、パチンコ機１を叩くなどして衝撃を与えても、係止片５３が１８０°回転してフック部５１が被係止突起３５に係止し、連動状態が創出されるということは、まずあり得ない。さらに、パチンコ機１を遊技場に設置した状態では、係止片５３が外枠２ａに覆われているため、係止片５３を回転させることはできず、更なる不正操作の防止を図ることができる。
【００２９】
ここで、本実施の形態の構成と本発明の構成要件との対応関係を示す。係止片５３が本発明の係止部に相当し、被係止突起３５が被係止部に相当し、これら両者を合せたものが状態変換手段に相当する。
以上、本発明を適用した一実施形態として、施錠装置１５について説明してきたが、本発明はこの実施形態に何等限定されるものではなく様々な態様で実施しうる。
【００３０】
例えば、施錠装置１５では、第１連結部材１９に係止片５３を設け、第２連結部材２１に被係止突起３５を形成したが、被係止突起３５を第１連結部材１９に設け、被係止突起３５を第１連結部材１９に設けても良い。また、被係止突起３５は、第１連結部材１９の形成された長穴４９内を摺動する構成としたが、フック部５１が係止可能な位置であれば、その他の箇所に形成しても良い。また、係止片５３の回転角度は１８０°に限らない。例えば、矢印Ｑ方向に９０°回転させるだけで連動状態が創出されたり、矢印Ｑ方向に２７０°回転させないと連動状態が創出されないようにしたりしてもよい。係止片５３の回転方向も矢印Ｑ方向に限らず、逆方向にしてもよい。また、係止片５３（またはこれに相当する構成。以下、単に係止片５３等と言う）を回転させることにより連動状態を創出するのではなく、スライドさせることにより連動状態を創出するように構成しても良い。また、係止片５３等を第１連結部材１９（または第１連結部材１９および第２連結部材２１）に対して脱着可能に構成し、係止片５３等を取り外すことにより連動状態が解除されるようにしても良い。また、このように連動を創出・解除する機構を複数個（または複数種類）設けても良い。
【００３１】
また、施錠装置１５では、第２鉤部材２５（または第１鉤部材４１）が下降することにより第２受け金具２７（または第１受け金具４３）に係止して施錠を行なうものであったが、逆に、第２鉤部材２５（または第１鉤部材４１）が上昇することにより第２受け金具２７（または第１受け金具４３）に係止して施錠を行なうように構成し直しても良い。また、第２鉤部材２５（または第１鉤部材４１）を第２連結部材２１（第１連結部材１９）と一体に形成するのではなく、上記従来技術のように、別体にしても良い。
【図面の簡単な説明】
【図１】本発明の一実施例である施錠装置が適用されたパチンコ機を示す正面図である。
【図２】本実施例の施錠装置が適用されたパチンコ機において、前面枠を開いた状態を示す斜視図である。
【図３】（ａ）は本実施例の施錠装置を示す側面図であり、（ｂ）は背面図である。
【図４】（ａ）は本実施例の施錠装置が備える第２連結部材を示す外観図であり、（ｂ）は第１連結部材を示す外観図である。
【図５】（ａ）は本実施例の施錠装置の係止片付近を示す部分拡大側面図、（ｂ）は施錠装置の係止片付近を示す部分拡大背面図である。
【図６】（ａ）は連動状態が解かれた施錠装置の係止片付近を示す部分拡大斜視図であり、（ｂ）は連動状態の施錠装置の係止片付近を示す部分拡大斜視図である。
【符号の説明】
１…パチンコ機　　　２，２ａ…外枠
３…中枠　　　　　　３ａ…枠体部
４…前面枠　　　　　　５…上皿部
１５…施錠装置　　　　１７…基枠
１９…第１連結部材　　２１…第２連結部材
２５…第２鉤部材　　　２７…第２受け金具
２９，３１，４５，４９…長穴
３３…カム　　　　　　３３ａ…爪
３５…被係止突起（被係止部、状態変換手段）
４１…第１鉤部材
４３…第１受け金具　　５１…フック部
５３…係止片（係止部、状態変換手段）
【図１】
2004097679.tif 000003
【図２】
2004097679.tif 000004
【図３】
2004097679.tif 000005
【図４】
2004097679.tif 000006
【図５】
2004097679.tif 000007
【図６】
2004097679.tif 000008